(57)【要約】      （修正有）【課題】浴室の壁に、浴室部材を設置する浴室部材の取付け構造を提供する。【解決手段】浴室１の壁２の設置孔２ａ外側から係合溝２９を有する外側取付部材３０を装着し、浴室部材に設けられた内側取付部材２２の係合部２０ｂを係合させる。係合溝２９は、開口部分に溝幅を狭めるフランジ部２４が設けられており、フランジ部２４の内側には傾斜面２４ａが形成されている。フランジ部２４の円周上の４箇所に切欠部が設けられている。これらの切欠部から係合部２０ｂを係合溝２９内に侵入させ、さらに係合部２０ｂをフランジ部２４の傾斜面２４ａに沿って移動させ、くさび効果で係合部２０ｂを係合溝２９内で停止させ、浴室部材を浴室１の壁２に固定する。【選択図】図２
2012067533.tif 000002
【特許請求の範囲】
【請求項１】
浴室内の壁に浴室部材を設置する浴室部材の取付け構造であって、
前記浴室部材には内側取付部材が設けてあり、浴室の外側には外側取付部材が設けてあり、内側取付部材と外側取付部材とが前記浴室の孔を介して結合して浴室部材が浴室の壁に固定され、
内側取付部材と外側取付部材の一方には、相手側へ突出する突出部と、当該突出部と直交する係合部とが設けられており、
内側取付部材と外側取付部材の他方には、円弧状の係合溝が設けられており、前記係合溝の開口部分には溝幅を狭めるフランジ部が設けてあり、前記フランジ部は係合溝よりも中心角が小さい円弧状であって係合溝の開口の一部が、内側取付部材の係合部が通過可能な大きさを呈する切欠部を有しており、
前記フランジ部における係合溝と対向する面は、切欠部側が最も係合溝の底から遠い傾斜面を構成しており、
前記係合部が、前記切欠部から係合溝内に入り、さらに内側取付部材を回転させると、係合部がフランジ部の傾斜面に沿って相対移動し、
外側取付部材に対して内側取付部材が特定の回転位置まで回転すると、設置台が浴室の壁に当接して停止することを特徴とする浴室部材の取付け構造。
【発明の詳細な説明】
【技術分野】
【０００１】
本発明は、テレビ等の電気製品、時計等の浴室部材を浴室の壁に取り付ける浴室部材の取付け構造に関するものである。
【背景技術】
【０００２】
従来、浴室でテレビ等の電気製品を使用することができる発明が提案されている。例えば、特許文献１には、入浴者がテレビを見ることが出来る発明（考案）が開示されている。
【先行技術文献】
【特許文献】
【０００３】
【特許文献１】実開平５−３７１９４号公報
【発明の概要】
【発明が解決しようとする課題】
【０００４】
特許文献１に示される発明（考案）によって、浴室でテレビを見たり音楽を聴きたいという要望のあることが理解できる。しかし、種々の浴室部材を浴室の壁に取り付けるには問題がある。即ち、浴室はユニット化が進み、浴室の壁はテレビ等の電気製品を支持する仕様ではなくなってきている。又、湿気に弱い電気製品を設置するには浴室外から浴室内に配線する配線構造も適切に設ける必要がある。
【０００５】
そこで本発明は、浴室の壁に、浴室部材を浴室の壁を損傷する恐れが少なく確実に取り付ける取付け構造を提供すると共に、浴室部材が電気製品の場合は浴室外から浴室内への配線が容易にできる構造を提供することを目的としている。
【課題を解決するための手段】
【０００６】
上記課題を解決するための請求項１の発明は、浴室内の壁に浴室部材を取り付ける浴室部材の取付け構造であって、浴室部材が電気製品の場合について述べれば、浴室部材を操作する制御部が設置されており、前記浴室の壁には、制御部に接続される配線を通す設置孔が設けられており、前記浴室部材には内側取付部材が設けてあり、浴室の外側には外側取付部材が設けてあり、内側取付部材と外側取付部材とが前記浴室の孔を介して結合して浴室部材が浴室の壁に固定され、内側取付部材と外側取付部材の一方には、相手側へ突出する突出部と、当該突出部と直交する係合部とが設けられており、内側取付部材と外側取付部材の他方には、円弧状の係合溝が設けられており、前記係合溝の開口部分には溝幅を狭めるフランジ部が設けてあり、前記フランジ部は係合溝よりも中心角が小さい円弧状であって係合溝の開口の一部が、内側取付部材の係合部が通過可能な大きさを呈する切欠部を有しており、前記フランジ部における係合溝と対向する面は、切欠部側が最も係合溝の底から遠い傾斜面を構成しており、前記係合部が、前記切欠部から係合溝内に入り、さらに内側取付部材を回転させると、係合部がフランジ部の傾斜面に沿って相対移動し、外側取付部材に対して内側取付部材が特定の回転位置まで回転すると、浴室部材が浴室の壁に当接して停止することを特徴とする浴室部材の取付け構造である。
【０００７】
請求項１の発明では、浴室の壁に設けた設置孔において、浴室部材に設けた内側取付部材と浴室の外側に配置した外側取付部材とを係合させることにより、浴室部材を浴室の壁に固定する。その際、内側取付部材と外側取付部材とが、一方側に設けた係合部が、他方側に設けた係合溝に係合し、内側取付部材を外側取付部材に対して相対的に回転させることにより、係合部が係合溝内を移動する。また、係合溝の開口に設けられたフランジ部の傾斜面に沿って、係合部が相対移動するので、内側取付部材を備えた浴室部材が、浴室の壁に接近する。そして、外側取付部材に対して内側取付部材が特定の回転位置まで回転すると、浴室部材が浴室の壁に当接して停止するので、浴室部材の水平度を容易に保つことができる。
【０００８】
内側取付部材と外側取付部材とが係合して一体化するので、例えば、浴室部材である電気製品の重量は、浴室の壁に設けた孔全体で支持されることになり、その結果、ネジ止めするよりも壁に荷重が集中しにくく、荷重は孔全体に分散されるので壁が損傷し難いものである。
【発明の効果】
【０００９】
本発明の浴室部材の取付け構造では、浴室の壁に電気製品、時計、設置台等の浴室部材を簡易な構造で取付けできる。また、浴室部材の固定に、浴室の壁に直接にネジを使用しないので、浴室部材の重量が、局部的に集中して作用せず、浴室の壁に設けた設置孔は、孔全体で重量を支持することができるので、浴室の壁が損傷し難いものである。すなわち、ユニットバスの壁でも浴室部材の重量を十分に支持させることができる。ここで、浴室部材は上述した電気製品、時計、設置台等に限定されるものでなく、浴室の壁に設置されて用いられるものを意味するものである。また、浴室の壁に設けた設置孔は、浴室部材がテレビ、音響機器等の電気製品である場合、浴室外から浴室内に配線する必要があるが、この場合に、設置孔を通じて配線でき、配線を損傷させる恐れが少なく、適切な配線が行える。
【図面の簡単な説明】
【００１０】
【図１】本発明を実施した浴室用電気製品の設置台の取付け構造を示す断面図である。
【図２】（ａ）は取付け構造の主要部の分解図であり、（ｂ）は（ａ）において配線ユニットを設置台に取り付け、さらに外側取付部材を浴室の壁の設置孔に装着した状態を示す断面図であり、（ｃ）は設置台の内側取付部材と浴室の壁の設置孔に固定した外側取付部材とを係合させた際の断面図であり、（ｄ）は（ｃ）において外側取付部材に対して内側取付部材を回転させて、浴室の壁に設置台を固定した状態の断面図である。
【図３】（ａ）は設置台の裏面図であり、（ｂ）は設置台を外側取付部材に係合可能な姿勢に回転させた状態の裏面図であり、（ｃ）は浴室の内壁側から見た設置孔に外側取付部材が取り付けられた状態の正面図であり、（ｄ）は（ｃ）の外側取付部材に内側取付部材が固定された際の内側取付部材に設けた係合部の位置を示す外側取付部材の正面図である。
【図４】外側取付部材の係合溝に内側取付部材の係合部が係合する様子を示す斜視図である。
【発明を実施するための形態】
【００１１】
以下、図面を参照しながら本発明の実施例を説明する。図１は、本発明を実施した浴室部材の取付部分を示している。また、図２（ａ）〜（ｄ）は、各々図１の主要部Ａを示している。図１に示すように浴室１は、壁２によって外部１９と仕切られている。浴室１は、ユニットバスであり、したがって壁２は建造物の壁と比べてかなり薄く、強度も弱い。この壁２には設置孔２ａが形成されている。浴室部材であるテレビ７、或いは浴室部材である設置台３は浴室１の壁２に固定される。設置台３を壁２に固定する部材として、内側取付部材２２と外側取付部材３０とが使用される。以下、内側取付部材２２、外側取付部材３０、設置台３の順に各構成を説明する。
【００１２】
内側取付部材２２は、設置台３の側面３ｃに設けられた孔２２ａの周囲に配置される係合部材２０と水密保持部材２１とで構成されている。水密保持部材２１は円筒形状を呈しており、側面３ｃから環状に起立している。水密保持部材２１よりも外側には、係合部材２０が設けられている。
【００１３】
係合部材２０は、側面３ｃから起立する突出部２０ａと、突出部２０ａと連続し且つ突出部２０ａと直交する係合部２０ｂを有している。図３（ａ）に示すように係合部材２０は、同一円周上の４箇所に配置されている。また、係合部２０ｂは、円周の外向きに延びている。
【００１４】
外側取付部材３０は、円板状の平板３３と、平板３３に対して起立する起立部２３，２５，２６とを有している。平板３３には、孔３０ａが設けてある。この孔３０ａに沿って起立部２６が環状に起立している。また、平板３３における起立部２６の外側には、環状の起立部２５が設けてある。その結果、起立部２５，２６の間には、溝２７が形成されている。溝２７にはＯリング２８が装着されている。図３（ｃ）では、Ｏリング２８の一部を破断させて描写している。
【００１５】
さらに平板３３における起立部２５よりも外側には、環状の起立部２３が設けられている。起立部２３には、起立部２３と直交する内向きのフランジ部２４が設けられている。図３（ｃ）に示すようにフランジ部２４は、等間隔に４つ設けられている。すなわち、各フランジ部２４の間には、切欠部３４が設けられている。起立部２３，２５の間には係合溝２９が形成されている。フランジ部２４における係合溝２９の底と対向する部分には、傾斜面２４ａが形成されている。傾斜面２４ａは、切欠部３４側から徐々にフランジ部２４の肉厚が厚くなるように傾斜している。すなわち、図３（ｄ）に破線で示す位置で係合部材２０が停止するように、フランジ部２４の肉厚が設定されている。
【００１６】
次に、内側取付部材２２と外側取付部材３０の装着の仕方を説明する。図２（ｂ）に示すように、外側取付部材３０は、壁２の設置孔２ａに対して浴室１の外側から装着される。すなわち、起立部２３の外周面が設置孔２ａにちょうど係合している。その結果、壁２の設置孔２ａが、見かけ上は外側取付部材３０の孔３０ａとなっており、配線に使用することができるものである。また、図２（ｂ）に示すように、載置台３の側面３ｃに設けられた内側取付部材２２には、アダプタ１８を介して配線ユニット１２が装着されている。
【００１７】
そして、図２（ｃ）及び図３（ｃ）に示すように、内側取付部材２２の係合部２０ｂを、外側取付部材３０の切欠部３４（図３（ｄ），図４）に位置合わせして係合部２０ｂを係合溝２９に係合させる。すなわち、浴室部材である設置台３を図３（ｂ）に示すように右側に４５度傾け、各係合部２０ｂを天地及び水平の位置に配置し、各係合溝２９に係合させる。
【００１８】
さらに図３（ａ）に示すように、設置面３ａが水平姿勢となるように設置台３を左方へ４５度回転させる。その結果、図２（ｄ）及び図３（ｄ）に示すように、内側取付部材２２の各係合部２０ｂが、フランジ部２４の傾斜面２４ａに沿って係合溝２９内を摺動移動し、停止する。すなわち、内側取付部材２２の係合部２０ｂは、もはやそれ以上に係合溝２９内を移動することができず、さらに傾斜面２４ａのくさび効果によって、係合部２０ｂが係合溝２９内で固定される。
【００１９】
また、このとき、内側取付部材２２の水密保持部２１が、外側取付部材３０の溝２７内に侵入し、水密保持部２１の環状の先端がＯリング２８を押圧する。その結果、内側取付部材２２と外側取付部材３０の間で水密が確保される。
【００２０】
設置面３ａが水平姿勢となるように、設置台３が壁２に固定されると、設置面３ａ上にテレビ７（電気製品）を配置する。なお、防水機能を有していないテレビ７（電気製品）を設置台３上に配置する場合には、例えばアクリル製の透明ケース６でテレビ７を覆う。テレビ７の配線は、図示していないが、設置台３内に収容されて、配線ユニット１２と同様に外部１９に導かれている。そして、制御部４のスイッチ５を操作すると、テレビ７（電気製品）を操作することができる。
【００２１】
上述の例では、内側取付部材２２を載置台３の側面３ｃに一体化した場合を示したが、内側取付部材２２を設置台３に対して取り外しできるように固定してもよい。また、内側取付部材２２に係合溝２９を設け、外側取付部材３０に係合部材２０を設けてもよい。すなわち、内側取付部材２２に設けた構成と、外側取付部材３０に設けた構成とを互いに入れ替えることが可能である。
次に一事例である設置台３について説明する。設置台３は直方体形状を呈しており、設置台３はテレビ７であってもよいもので、電気製品である場合。下記のように使用することができるものである。即ち、壁２に当接する側面３ｃには、孔２２ａ（図２（ａ））が設けてある。また、側面３ｃと反対側の側面３ｂには、制御部４のスイッチ５を露出させる孔が設けてある。設置台３の内部には、補強板３２が設けられている。補強板３２には、アダプタ１７を介して制御部４が固定されている。すなわち、補強板３２には孔３２ａが設けてあり、孔３２ａにアダプタ１７が、例えばネジ止め（図示せず）されている。また、孔２２ａにはアダプタ１８が、例えばネジ止め（図示せず）されている。
【００２２】
アダプタ１７，１８には配線ユニット１２が挿通されている。すなわち、アダプタ１７は、配線ユニット１２に対して収縮チューブ１５で水密を保ち固定されており、同様にアダプタ１８は、配線ユニット１２に対して収縮チューブ１６で水密を保ち固定されている。その結果、アダプタ１７は、配線ユニット１２の先端部に固定され、アダプタ１８は配線ユニット１２の後端部分に固定されている。すなわち、アダプタ１７，１８によって配線ユニット１２は、設置台３内に固定されている。
【００２３】
配線ユニット１２内には、硬質チューブ１４や、電源ケーブルや各種信号線等の配線８が配設されている。硬質チューブ１４は、制御部４の配置領域と、浴室１の外部１９とを連通させて、制御部４が結露するのを防止する機能を有している。これにより、制御部４の電子部品の接触不良や腐食等を回避することができる。
【００２４】
また、配線８の一端には端子９が接続されており、他端には制御部４の制御基板４ａに接続されている。さらに、端子９には、配線１１が接続された端子１０が取り外し可能に接続されている。その結果、スイッチ５を操作することによって、制御部４から制御信号を出力することができる。
【００２５】
浴室部材である設置台３の側面３ｃには、内側取付部材２２とパッキン３１が設けられている。パッキン３１は環状であり、内側取付部材２２の周囲に配置されている。そして、上述したように設置台３が壁２に当接した際に、パッキン３によって壁２と設置台３の間の水密が確保される。
【符号の説明】
【００２６】
１    浴室
２    壁
２ａ  設置孔
３    設置台（浴室部材）
３ａ  設置面
４    制御部
７    テレビ（浴室部材）
８    配線
２０  係合部材
２０ｂ  係合部
２２  内側取付部材
２４  フランジ部
２４ａ  傾斜面
２９  係合溝
３０  外側取付部材
３４  切欠部
【図１】
2012067533.tif 000003
【図２】
2012067533.tif 000004
【図３】
2012067533.tif 000005
【図４】
2012067533.tif 000006